(57)【特許請求の範囲】
【請求項１】
それぞれ画像データを出力する複数の画像供給装置とともに画像表示装置に接続された表示制御装置であって、
各々の前記画像供給装置が出力する画像データに基づく画像を表示画面に表示するとともに、各々の前記画像供給装置が出力する画像データに基づいて生成されたサムネイル画像を前記表示画面に表示する表示手段と、
前記表示画面に表示された前記サムネイル画像のうち一部を選択する操作に対応して、選択された前記サムネイル画像に対応する前記画像供給装置を選択する選択手段と、
前記選択手段により選択された前記画像供給装置が出力する画像データに基づく画像を、前記画像表示装置により表示させる表示装置制御手段と、
を備え、
前記表示手段は、前記サムネイル画像を第１の領域に表示し、前記サムネイル画像を拡大した拡大サムネイル画像を第２の領域に表示し、
前記表示手段は、選択された前記サムネイル画像を囲む第１の枠、及び、選択された前記サムネイル画像に対応する前記拡大サムネイル画像を囲む第２の枠を表示することを特徴とする表示制御装置。
【請求項２】
前記画像供給装置と同様に前記画像表示装置に画像データを出力する画像出力手段を備え、
前記表示手段は、各々の前記画像供給装置が出力する画像データに基づいて生成された前記サムネイル画像とともに、前記画像出力手段が出力する画像データに基づいて生成された前記サムネイル画像を前記表示画面に表示すること、を特徴とする請求項１記載の表示制御装置。
【請求項３】
前記表示手段は、前記選択手段により選択された前記画像供給装置に対応する前記サムネイル画像を、他の前記画像供給装置に対応する前記サムネイル画像とは異なる表示態様で表示すること、を特徴とする請求項１または２記載の表示制御装置。
【請求項４】
前記表示手段は、前記表示画面に表示する前記サムネイル画像を所定時間毎に更新すること、を特徴とする請求項１から３のいずれかに記載の表示制御装置。
【請求項５】
前記表示手段は、各々の前記画像供給装置が出力する画像データに基づいて生成された前記サムネイル画像が前記画像表示装置から送信された場合に、この前記サムネイル画像を受信して前記表示画面に表示すること、を特徴とする請求項１から３のいずれかに記載の表示制御装置。
【請求項６】
それぞれ画像データを出力する複数の画像供給装置と、これら複数の画像供給装置から出力される画像データに基づく画像を表示する画像表示装置とを備え、
少なくとも一部の前記画像供給装置は、
各々の前記画像供給装置が出力する画像データに基づく画像を表示画面に表示するとともに、各々の前記画像供給装置が出力する画像データに基づいて生成されたサムネイル画像を前記表示画面に表示する表示手段と、
前記表示画面に表示された前記サムネイル画像のうち一部を選択する操作に対応して、選択された前記サムネイル画像に対応する前記画像供給装置を選択する選択手段と、
前記選択手段により選択された前記画像供給装置が出力する画像データに基づく画像を、前記画像表示装置により表示させる表示装置制御手段と、を備え、
前記画像表示装置は、いずれかの前記画像供給装置が備える前記表示装置制御手段により送信される制御情報に従って、選択された前記画像供給装置が出力する画像データに基づく画像を表示し、
前記表示手段は、前記サムネイル画像を第１の領域に表示し、前記サムネイル画像を拡大した拡大サムネイル画像を第２の領域に表示し、
前記表示手段は、選択された前記サムネイル画像を囲む第１の枠、及び、選択された前記サムネイル画像に対応する前記拡大サムネイル画像を囲む第２の枠を表示すること、
を特徴とする表示システム。
【請求項７】
それぞれ画像データを出力する複数の画像供給装置と、これら複数の画像供給装置から出力される画像データに基づく画像を表示する画像表示装置とを備えた表示システムの制御方法であって、
少なくとも一部の前記画像供給装置により、
各々の前記画像供給装置が出力する画像データに基づく画像を表示画面に表示するとともに、各々の前記画像供給装置が出力する画像データに基づいて生成されたサムネイル画像を前記表示画面に表示し、
前記表示画面に表示された前記サムネイル画像のうち一部を選択する操作に対応して、選択された前記サムネイル画像に対応する前記画像供給装置を選択し、
前記サムネイル画像を第１の領域に表示し、
前記サムネイル画像を拡大した拡大サムネイル画像を第２の領域に表示し、
選択された前記サムネイル画像を囲む第１の枠、及び、選択された前記サムネイル画像に対応する前記拡大サムネイル画像を囲む第２の枠を表示し、
選択された前記画像供給装置が出力する画像データに基づく画像を表示するための制御情報を前記画像表示装置に送信し、
前記画像表示装置により、
いずれかの前記画像供給装置が送信する制御情報に従って、選択された前記画像供給装置が出力する画像データに基づく画像を表示する、
ことを特徴とする表示システムの制御方法。
【請求項８】
それぞれ画像データを出力する複数の画像供給装置とともに画像表示装置に接続されたコンピューターが実行可能なプログラムであって、
前記コンピューターを、
各々の前記画像供給装置が出力する画像データに基づく画像を表示画面に表示するとともに、各々の前記画像供給装置が出力する画像データに基づいて生成されたサムネイル画像を前記表示画面に表示する表示手段と、
前記表示画面に表示された前記サムネイル画像のうち一部を選択する操作に対応して、選択された前記サムネイル画像に対応する前記画像供給装置を選択する選択手段と、
前記選択手段により選択された前記画像供給装置が出力する画像データに基づく画像を前記画像表示装置により表示させる表示装置制御手段と、
して機能させ、
前記表示手段は、前記サムネイル画像を第１の領域に表示し、前記サムネイル画像を拡大した拡大サムネイル画像を第２の領域に表示し、
前記表示手段は、選択された前記サムネイル画像を囲む第１の枠、及び、選択された前記サムネイル画像に対応する前記拡大サムネイル画像を囲む第２の枠を表示するためのプログラム。
【発明の詳細な説明】
【技術分野】
【０００１】
本発明は、画像表示装置における表示を制御する表示制御装置、表示システム、表示システムの制御方法、及び、プログラムに関する。
【背景技術】
【０００２】
従来、表示領域を複数に分割して異なる複数の画像を表示する態様（いわゆる分割表示）と、表示領域全体に一つの画像を表示する通常の態様（いわゆる全画面表示）とを切り替え可能な表示装置が知られている（例えば、特許文献１参照）。この種の表示装置は、複数のパーソナルコンピューター等の画像供給装置に接続され、複数の画像供給装置の一部または全部が出力する画像を表示する分割表示と、いずれかの画像供給装置が出力する画像を表示する全画面表示とを切り替え可能に構成されている。
【先行技術文献】
【特許文献】
【０００３】
【特許文献１】特開２００６−３３０４６８号公報
【発明の概要】
【発明が解決しようとする課題】
【０００４】
ところで、どの画像供給装置が出力する画像を表示させるかを手動で選択する場合、画像供給装置の数が多いと、各画像供給装置がどのような画像を出力しているか把握することが難しく、選択が困難になるという問題があった。
本発明は、上述した従来の技術が有する課題を解消し、画像を出力する複数の画像供給装置の中から所望の画像供給装置を容易に選択できる表示制御装置、画像表示装置、表示システム、表示システムの制御方法、及び、プログラムを提供することを目的とする。
【課題を解決するための手段】
【０００５】
上記目的を達成するために、本発明は、それぞれ画像データを出力する複数の画像供給装置とともに画像表示装置に接続された表示制御装置であって、各々の前記画像供給装置が出力する画像データに基づく画像を表示画面に表示するとともに、各々の前記画像供給装置が出力する画像データに基づいて生成されたサムネイル画像を前記表示画面に表示する表示手段と、前記表示画面に表示された前記サムネイル画像のうち一部を選択する操作に対応して、選択された前記サムネイル画像に対応する前記画像供給装置を選択する選択手段と、前記選択手段により選択された前記画像供給装置が出力する画像データに基づく画像を、前記画像表示装置により表示させる表示装置制御手段と、を備えたことを特徴とする。
本発明によれば、表示画面に表示されたサムネイル画像から所望の画像を選択する操作によって、複数の画像供給装置の中から所望の画像供給装置を容易に選択し、選択した画像供給装置が出力する画像データに基づく画像を表示させることができる。
【０００６】
また、本発明は、上記表示制御装置において、前記画像供給装置と同様に前記画像表示装置に画像データを出力する画像出力手段を備え、前記表示手段は、各々の前記画像供給装置が出力する画像データに基づいて生成された前記サムネイル画像とともに、前記画像出力手段が出力する画像データに基づいて生成された前記サムネイル画像を前記表示画面に表示することを特徴とする。
本発明によれば、画像供給装置を選択する表示制御装置それ自体が画像供給装置と同様に画像データを出力できる。そして、表示画面に表示されるサムネイル画像に基づいて、この表示制御装置および画像供給装置が出力する画像データの中から、容易に所望の画像データを選択できる。
【０００７】
また、本発明は、上記表示制御装置において、前記表示手段は、前記選択手段により選択された前記画像供給装置に対応する前記サムネイル画像を、他の前記画像供給装置に対応する前記サムネイル画像とは異なる表示態様で表示することを特徴とする。
本発明によれば、画像表示装置により表示されている画像を、サムネイル画像を見ることで容易に確認できる。
【０００８】
また、本発明は、上記表示制御装置において、前記表示手段は、前記表示画面に表示する前記サムネイル画像を所定時間毎に更新することを特徴とする。
本発明によれば、各画像供給装置が出力する画像の状態が変化しても、この変化がサムネイル画像に反映されるので、より適切に画像供給装置を選択できる。
【０００９】
また、本発明は、上記表示制御装置において、前記表示手段は、各々の前記画像供給装置が出力する画像データに基づいて生成された前記サムネイル画像が前記画像表示装置から送信された場合に、この前記サムネイル画像を受信して前記表示画面に表示することを特徴とする。
本発明によれば、表示制御装置においてサムネイル画像を生成するための処理負荷及び通信データ量を抑えることができる。
【００１０】
また、上記課題を解決するため、本発明は、画像データを出力する複数の画像供給装置に接続され、表示面に画像を表示する画像表示手段と、前記画像供給装置から送信される画像データを受信する受信手段と、前記受信手段により受信した画像データに基づいてサムネイル画像を生成する画像処理手段と、前記画像処理手段により生成された前記サムネイル画像を、複数の前記画像供給装置のうち少なくとも一部に送信する送信手段と、前記サムネイル画像を送信した前記画像供給装置から、いずれか一または複数の前記画像供給装置を指定する制御情報が送信された場合に、この前記制御情報により指定された前記画像供給装置が出力する画像データに基づく画像を前記表示手段により表示する画像選択表示手段とを備えることを特徴とする。
本発明によれば、画像供給装置において、表示装置が生成して送信するサムネイル画像に基づいて、各画像供給装置が出力している画像データの内容を容易に把握することができ、このサムネイル画像に基づいて選択した画像供給装置が出力する画像データに基づく画像を表示させることができる。
【００１１】
また、上記課題を解決するため、本発明は、それぞれ画像データを出力する複数の画像供給装置と、これら複数の画像供給装置から出力される画像データに基づく画像を表示する画像表示装置とを備え、少なくとも一部の前記画像供給装置は、各々の前記画像供給装置が出力する画像データに基づく画像を表示画面に表示するとともに、各々の前記画像供給装置が出力する画像データに基づいて生成されたサムネイル画像を前記表示画面に表示する表示手段と、前記表示画面に表示された前記サムネイル画像のうち一部を選択する操作に対応して、選択された前記サムネイル画像に対応する前記画像供給装置を選択する選択手段と、前記選択手段により選択された前記画像供給装置が出力する画像データに基づく画像を、当該選択された画像表示装置により表示させる表示装置制御手段と、を備え、前記画像表示装置は、いずれかの前記画像供給装置が備える前記表示装置制御手段により送信される制御情報に従って、選択された前記画像供給装置が出力する画像データに基づく画像を表示することを特徴とする。
本発明によれば、画像供給装置において、表示画面に表示されたサムネイル画像から所望のサムネイル画像を選択する操作により、複数の画像供給装置の中から所望の画像供給装置を容易に選択し、選択した画像供給装置が出力する画像データに基づく画像を表示させることができる。
【００１２】
また、上記課題を解決するため、本発明は、それぞれ画像データを出力する複数の画像供給装置と、これら複数の画像供給装置から出力される画像データに基づく画像を表示する画像表示装置とを備えた表示システムの制御方法であって、少なくとも一部の前記画像供給装置により、各々の前記画像供給装置が出力する画像データに基づく画像を表示画面に表示するとともに、各々の前記画像供給装置が出力する画像データに基づいて生成されたサムネイル画像を前記表示画面に表示し、前記表示画面に表示された前記サムネイル画像のうち一部を選択する操作に対応して、選択された前記サムネイル画像に対応する前記画像供給装置を選択し、選択された前記画像供給装置が出力する画像データに基づく画像を表示するための制御情報を前記画像表示装置に送信し、前記画像表示装置により、いずれかの前記画像供給装置が送信する制御情報に従って、選択された前記画像供給装置が出力する画像データに基づく画像を表示することを特徴とする。
本発明の制御方法を実行することにより、画像供給装置において、表示画面に表示されたサムネイル画像から所望のサムネイル画像を選択する操作により、複数の画像供給装置の中から所望の画像供給装置を容易に選択し、選択した画像供給装置が出力する画像データに基づく画像を表示させることができる。
【００１３】
また、上記課題を解決するため、本発明は、それぞれ画像データを出力する複数の画像供給装置とともに画像表示装置に接続された表示制御装置を制御するコンピューターが実行可能なプログラムであって、前記コンピューターを、各々の前記画像供給装置が出力する画像データに基づく画像を表示画面に表示するとともに、各々の前記画像供給装置が出力する画像データに基づいて生成されたサムネイル画像を前記表示画面に表示する表示手段と、前記表示画面に表示された前記サムネイル画像のうち一部を選択する操作に対応して、選択された前記サムネイル画像に対応する前記画像供給装置を選択する選択手段と、前記選択手段により選択された前記画像供給装置が出力する画像データに基づく画像を前記画像表示装置により表示させる表示装置制御手段と、して機能させるためのプログラムである。
本発明のプログラムを実行することにより、表示制御装置において、表示画面に表示されたサムネイル画像から所望のサムネイル画像を選択する操作により、複数の画像供給装置の中から所望の画像供給装置を容易に選択し、選択した画像供給装置が出力する画像データに基づく画像を表示させることができる。
【発明の効果】
【００１４】
本発明によれば、画像を出力する複数の画像供給装置の中から所望の画像供給装置を容易に選択できる。
【図面の簡単な説明】
【００１５】
【図１】本発明を適用した実施形態に係るプロジェクターの構成を示すブロック図である。
【図２】ＰＣによる選択操作の様子を示す説明図であり、（Ａ）はＰＣのモニターに表示される選択制御用画面を示し、（Ｂ）はプロジェクターの投射画像を示す。
【図３】ＰＣによる選択操作の様子を示す説明図であり、（Ａ）はＰＣのモニターに表示される選択制御用画面を示し、（Ｂ）はプロジェクターの投射画像を示す。
【図４】ＰＣによる選択操作の様子を示す説明図であり、（Ａ）はＰＣのモニターに表示される選択制御用画面を示し、（Ｂ）はプロジェクターの投射画像を示す。
【図５】表示システムの動作を示すフローチャートであり、（Ａ）はＰＣの動作を示し、（Ｂ）は画像データの出力を開始するＰＣの動作を示し、（Ｃ）はプロジェクターの動作を示す。
【発明を実施するための形態】
【００１６】
以下、図面を参照して本発明の実施形態について説明する。
図１は、本発明を適用した画像表示装置としてのプロジェクター１１を含む表示システム１０の機能的構成を示すブロック図である。プロジェクター１１は、画像供給装置としての複数のＰＣ（パーソナルコンピューター）１３Ａに通信ネットワーク１７を介して接続され、これら複数のＰＣ１３から入力される画像データに基づく画像をスクリーンＳＣ（表示面）に投射する。プロジェクター１１に画像を供給する画像供給装置としては、ビデオ再生装置、ＤＶＤ再生装置、テレビチューナー装置、ＣＡＴＶのセットトップボックス、ビデオゲーム装置等の映像出力装置、パーソナルコンピューター等が挙げられ、画像データを供給するものであれば特に制限されない。本実施形態では一例として、ＰＣ１３からデジタル画像データが入力される場合について説明する。なお、本実施形態では表示システム１０が４台のＰＣ１３Ａ〜１３Ｄを備えた例を挙げて説明するが、ＰＣの数については特に制限はない。また、以下の説明においてＰＣ１３Ａ〜１３Ｄを総称する場合はＰＣ１３と表記する。
通信ネットワーク１７は、有線又は無線通信回線により構成されるＬＡＮ（Local Area Network）等の双方向通信可能なネットワークであり、各々のＰＣ１３とプロジェクター１１とを相互に通信可能に接続し、ＰＣ１３間の相互の通信も可能とする。
【００１７】
表示システム１０を構成する複数のＰＣ１３は、いずれも同一構成を有するので、ここでは一つのＰＣ１３Ａについて機能的構成を図示する。
図１に示すように、ＰＣ１３は、所定のプログラムを実行してＰＣ１３の各部を制御するＣＰＵ、ＣＰＵが実行する基本制御プログラムや基本制御プログラムに係るデータ等を不揮発的に記憶したＲＯＭ、及び、ＣＰＵが実行するプログラムやデータを一時的に記憶するＲＡＭ等を備えた制御部１３０と、制御部１３０が実行するアプリケーションプログラム等を記憶する記憶部１３４と、キーボードやマウス等の入力デバイス（図示略）による入力操作を検出する入力部１３５と、制御部１３０の制御に従って各種画面をモニター１４（表示画面）に表示する表示部１３６と、制御部１３０の制御に従って通信ネットワーク１７を介して各種データを送受信する通信Ｉ／Ｆ１３７とを備え、これらの各部はバス１３８を介して相互に接続されている。
【００１８】
ＰＣ１３は、入力部１３５が検出した操作に従って動作を開始し、この操作により指定されたアプリケーションプログラムを実行し、例えば、プレゼンテーション用に複数の画像を含むプレゼンテーションファイル等の各種のデータを作成する。また、ＰＣ１３は、プロジェクター１１を制御するためのプロジェクター制御プログラムを実行する。このプロジェクター制御プログラムの実行時、ＰＣ１３は、表示部１３６の機能によりモニター１４上に画像を表示するとともに、このモニター１４に表示されている画面と同じ画面を表示するための画像データをプロジェクター１１に送信する。
【００１９】
本実施形態においては、通信Ｉ／Ｆ１３７はＬＡＮインターフェースにより構成され、この通信Ｉ／Ｆ１３７を介して画像データ及び制御情報が送受信される。ここで、通信Ｉ／Ｆ１３７がＤＶＩ規格やＨＤＭＩ規格等に準拠したデジタル画像インターフェースを備え、このデジタル画像インターフェースを介してプロジェクター１１に画像を送信し、ＬＡＮインターフェースを介して制御情報を送信するものとしてもよい。
記憶部１３４は、制御部１３０が実行する制御プログラム１３４Ａを、制御部１３０のＣＰＵが読み取り可能な態様で記憶する。
【００２０】
プロジェクター１１は、静止画像および動画像（映像）のいずれであっても表示可能である。本実施形態では、ＰＣ１３から入力される静止画像を表示出力する場合を例に挙げて説明するが、以下の説明において入力画像を表示する処理は、動画像を表示する場合にもそのまま適用可能である。また、スクリーンＳＣはほぼ直立しており、スクリーン面は矩形形状とされている。
【００２１】
プロジェクター１１は、複数のＰＣ１３から入力される画像データに基づく画像を、スクリーンＳＣ上の表示領域を分割して並べて表示する分割表示状態と、複数のＰＣ１３のうち一つから入力される画像データに基づく画像をスクリーンＳＣ上の表示領域全体に表示する全領域表示状態とを切り替え可能である。分割表示状態では、プロジェクター１１に接続された複数のＰＣ１３が出力する画像データに基づく画像を並べて表示し、２つのＰＣ１３が出力する画像を並べて表示する２画面分割表示状態、４つのＰＣ１３が出力する画像データに基づく画像を並べて表示する４画面分割表示状態を含む複数の表示状態とすることができる。分割表示状態において、画像データを出力しているＰＣ１３の数が、画面の分割数すなわち同時表示される画像の数を超えている場合には、表示制御装置として機能するＰＣ１３（本実施形態の説明ではＰＣ１３Ａ）から送信される制御情報に従って、必要数のＰＣ１３を選択する。例えば、４画面表示状態では、複数のＰＣ１３の中から４つのＰＣ１３Ａ〜１３Ｄを選択して、選択された４つのＰＣ１３Ａ〜１３Ｄが出力する画像データに基づく画像を並べて表示する。
【００２２】
複数のＰＣ１３の少なくとも一部（本実施形態ではＰＣ１３Ａ)は、記憶部１３４に記憶している表示制御用の制御プログラム１３４Ａを実行して、表示制御装置として機能し、プロジェクター１１に対して分割表示状態でＰＣ１３を選択させる等の制御を行う。
すなわち、制御部１３０は、制御プログラム１３４Ａを実行することにより、プロジェクター１１を制御するための、後述する制御用画面２００（図２（Ａ））をモニター１４に表示する表示処理部１３０Ａ、制御用画面２００の表示中の操作により選択されたＰＣ１３を特定する選択部１３０Ｂ、選択部１３０Ｂにより特定されたＰＣ１３をプロジェクター１１によって選択させる制御情報を生成する表示装置制御部１３０Ｃ、及び、プロジェクター１１に対して画像データを出力する画像出力部１３０Ｄとして機能する。
【００２３】
画像出力部１３０Ｄ（画像出力手段）は、プロジェクター１１に画像データを出力する全てのＰＣ１３が備えている。ＰＣ１３は、通常時は制御部１３０が実行する基本ソフトウェア（オペレーティングシステム：ＯＳ）の機能として生成される背景画面に、実行中のアプリケーションプログラムの操作画像を重ねた画面をモニター１４に表示する。アプリケーションプログラムとしては、例えば、文書作成・編集、画像編集、インターネットブラウザー、データベース、電子メール等の各種のプログラムが挙げられる。
【００２４】
ここで、例えばＰＣ１３Ａがプロジェクター１１に接続され、ＰＣ１３Ａにおいてプロジェクター１１に対する画像出力の開始が指示されると、画像出力部１３０Ｄは、モニター１４に表示中の画面全体、あるいは当該画面に表示されている実行中のアプリケーションプログラムの操作画像の画像データを、通信Ｉ／Ｆ１３７を介してプロジェクター１１に送信する。例えば、ＯＳが提供する背景画面にアプリケーションプログラムの操作画像が矩形のウィンドウとして表示され、ＯＳがマルチタスクをサポートしている場合は複数のウィンドウが背景画面に表示される。この場合、画像出力部１３０Ｄは、操作中の（アクティブな）ウィンドウを表示するための画像データを生成してプロジェクター１１に出力する。さらに、操作中のウィンドウを表示する画像データを出力中に、ＰＣ１３Ａにおいて全画面表示が指示された場合、ＰＣ１３ＡのＯＳの機能によって操作中のウィンドウ内の画像が全画面に表示されるが、このとき画像出力部１３０Ｄは、画面全体の画像データをプロジェクター１１に出力する。この動作はＰＣ１３Ｂ〜１３Ｄも同様である。
プロジェクター１１への画像データの出力は、入力部１３５を介して検出した操作によって、画像出力の停止が指示されるまで継続する。また、出力する画像データの具体的態様は制限されないが、例えば、リフレッシュレートや解像度をモニター１４に表示される画像と同じものとすることができる。
【００２５】
また、通信ネットワーク１７を介してプロジェクター１１に接続された複数のＰＣ１３のうち、少なくとも一部は、表示処理部１３０Ａ、選択部１３０Ｂ、及び表示装置制御部１３０Ｃの機能を備えている。
表示処理部１３０Ａ（表示手段）は、各ＰＣ１３からプロジェクター１１に対して出力されている画像データの内容を、後述する制御用画面２００（図２（Ａ））に一覧表示する。表示処理部１３０Ａが表示する画像は、各ＰＣ１３が実際にプロジェクター１１に出力している画像データに基づいて生成されたサムネイル画像（縮小画像）である。このサムネイル画像は、各ＰＣ１３が出力した画像データのサイズを縮小するリサイズ処理、または、表示解像度を低下させる解像度変換処理によって生成された、もとの画像データよりサイズが小さい画像であり、表示色の階調を落とす減色処理が施されていてもよい。
【００２６】
表示処理部１３０Ａは、各ＰＣ１３から出力された画像データを取得してサムネイル画像を生成し、表示する構成としてもよいが、本実施形態では、各ＰＣ１３Ａ〜１３Ｄがプロジェクター１１に出力した画像データに基づいて、プロジェクター１１がサムネイル画像を生成し、ＰＣ１３Ａ〜１３Ｄのうち制御プログラム１３４Ａを実行中のもの（例えばＰＣ１３Ａ、或いは、ＰＣ１３Ａ〜１３Ｄの全て）に対してサムネイル画像を送信する構成とする。
【００２７】
表示処理部１３０Ａは、制御用画面２００において、ＰＣ１３毎にサムネイル画像を表示する。この制御用画面２００の表示中に、入力部１３５が検出した操作によって、いずれかのサムネイル画像を選択する操作により、プロジェクター１１が投射する画像を選択することができる。
選択部１３０Ｂ（選択手段）は、表示処理部１３０Ａが制御用画面２００を表示した状態で、制御用画面２００における操作によって、いずれかのサムネイル画像が表示対象として選択された場合に、この操作を検出して、選択されたサムネイル画像に対応するＰＣ１３を、プロジェクター１１の表示対象として決定する。
表示装置制御部１３０Ｃ（表示装置制御手段）は、選択部１３０Ｂが表示対象として決定したＰＣ１３を指定し、指定された１または複数のＰＣ１３を選択するように指示する制御情報を生成して、プロジェクター１１に出力する。この制御情報を受信したプロジェクター１１は、指定されたＰＣ１３を選択する。各ＰＣ１３は、各ＰＣ１３に予め付与されたＩＤ、あるいは、通信ネットワーク１７におけるネットワークアドレス等により識別される。また、表示装置制御部１３０Ｃは、制御用画面２００の表示中における操作に応じて、プロジェクター１１の表示態様を指定する制御情報を生成してプロジェクター１１に出力する。この制御情報に従って、プロジェクター１１は、全領域表示状態、２画面分割表示状態、４画面分割表示状態等、表示状態を切り替えて実行する。
【００２８】
プロジェクター１１は、大きく分けて光学的な画像の形成を行う投射部３０（画像表示手段）と、この投射部３０に入力される表示信号を電気的に処理する画像処理系とからなる。投射部３０は、照明光学系３１、照明光学系３１からの光を変調する光変調装置３２、及び投射光学系３３から構成されている。照明光学系３１は、キセノンランプ、超高圧水銀ランプ、ＬＥＤ（Light Emitting Diode）等からなる光源を備えている。また、照明光学系３１は、光源が発した光を光変調装置３２に導くリフレクター及び補助リフレクターを備えていてもよく、投射光の光学特性を高めるためのレンズ群（図示略）、偏光板、或いは光源が発した光の光量を光変調装置３２に至る経路上で低減させる調光素子等を備えたものであってもよい。
【００２９】
光変調装置３２は、例えば透過型液晶パネルを備えて構成され、この液晶パネルに後述する画像処理系からの信号を受けて画像を形成する。この場合、光変調装置３２は、カラーの投影を行うため、ＲＧＢの三原色に対応した３枚の液晶パネルを備え、照明光学系３１からの光はＲＧＢの３色の色光に分離され、各色光は対応する各液晶パネルに入射する。各液晶パネルを通過して変調された色光はクロスダイクロイックプリズム等の合成光学系によって合成され、投射光学系３３に射出される。
なお、光変調装置３２は、３枚の透過型液晶パネルを用いた構成に限らず、例えば３枚の反射型の液晶パネルを用いることも可能であるし、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等により構成してもよい。光変調装置３２として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。
【００３０】
投射光学系３３は、投射する画像の拡大・縮小および焦点の調整を行うズームレンズ、ズームレンズを駆動してズームの度合いを調整するズーム調整用モーター及びフォーカスの調整を行うフォーカス調整用モーター等を備えている。投射光学系３３は、光変調装置３２で変調された入射光を、ズームレンズを用いてスクリーンＳＣ（表示面）上に投射し、結像させる。
投射部３０には、制御部１０３の制御に従って投射光学系３３が備える各モーターを駆動する投射光学系駆動部１２１、及び、制御部１０３の制御に従って照明光学系３１が備える光源を駆動する光源駆動部１１７が接続されている。
【００３１】
画像処理系は、プロジェクター１１全体を統合的に制御する制御部１０３を中心に構成され、制御部１０３が処理するデータや制御部１０３が実行する制御プログラム１０５Ａを記憶した記憶部１０５、操作パネル４５及びリモコン受光部４１を介した操作を検出する入力処理部１２３、通信Ｉ／Ｆ１０１に入力された画像データを処理する表示制御部１０７、通信Ｉ／Ｆ１０１から入力される入力画像を一時的に格納するバッファー部１１０、及び、表示制御部１０７から出力される表示信号に基づいて光変調装置３２を駆動して描画を行う光変調装置駆動部１１９を備えている。
【００３２】
制御部１０３は、記憶部１０５に記憶された制御プログラム１０５Ａを読み出して実行することにより、プロジェクター１１の各部を制御する。制御部１０３は、入力処理部１２３から入力される操作信号に基づいて、ユーザーが行った操作の内容を検出し、この操作に応じて表示制御部１０７、光変調装置駆動部１１９、投射光学系駆動部１２１及び光源駆動部１１７を制御して、スクリーンＳＣに画像を投射させる。
【００３３】
プロジェクター１１の本体には、ユーザーが操作を行うための各種スイッチ及びインジケーターランプを備えた操作パネル４５が配置されている。操作パネル４５は入力処理部１２３に接続されており、入力処理部１２３は、制御部１０３の制御に従い、プロジェクター１１の動作状態や設定状態に応じて操作パネル４５のインジケーターランプを適宜点灯或いは点滅させる。この操作パネル４５のスイッチが操作されると、操作されたスイッチに対応する操作信号が入力処理部１２３から制御部１０３に出力される。
また、プロジェクター１１は、ユーザーが使用するリモコン（図示略）を有する。リモコンは各種のボタンを備えており、これらのボタンの操作に対応して赤外線信号を送信する。プロジェクター１１の本体には、リモコンが発する赤外線信号を受光するリモコン受光部４１が配置されている。リモコン受光部４１は、リモコンから受光した赤外線信号をデコードして、リモコンにおける操作内容を示す操作信号を生成し、制御部１０３に出力する。
【００３４】
通信Ｉ／Ｆ１０１には、ＰＣ１３から入力された画像データを一時的に格納するバッファー部１１０が接続されている。バッファー部１１０には、複数のＰＣ１３から入力される画像データをＰＣ１３毎に格納するため、独立した格納領域である複数の画像バッファー１１０Ａが設けられている。画像バッファー１１０Ａは、一つの記憶領域を仮想的に分割したものであってもよい。画像バッファー１１０Ａの数は任意であるが、投射画像３００（図２（Ｂ））を分割する分割数の最大値に応じた画像バッファー１１０Ａが設けられていることが好ましい。
【００３５】
制御部１０３は、通信Ｉ／Ｆ１０１を介してＰＣ１３から入力された制御情報及び画像データを取得する通信制御部１０３Ａ（受信手段、送信手段）と、通信制御部１０３Ａが取得した画像データをもとにサムネイル画像を生成するサムネイル画像処理部１０３Ｂ（画像処理手段）と、通信制御部１０３Ａが取得した制御情報に基づいて、分割表示状態において表示する画像を選択する画像選択表示部１０３Ｃ（画像選択表示手段）とを備えている。
通信制御部１０３Ａは、通信Ｉ／Ｆ１０１により受信されたデータが画像データであるか制御情報であるかを判別するとともに、当該データを送信（出力）した送信元のＰＣ１３を、ＰＣ１３のＩＤまたはネットワークアドレス等に基づいて特定する。通信制御部１０３Ａは、受信されたデータが画像データであると判別した場合は、この画像データを取得して、送信元のＰＣ１３に対応する画像バッファー１１０Ａに格納するように、表示制御部１０７を制御する。
【００３６】
サムネイル画像処理部１０３Ｂは、通信制御部１０３Ａが判別した画像データに基づいて、解像度変換、リサイズ、減色等の処理を実行し、サムネイル画像を生成する。サムネイル画像処理部１０３Ｂは、生成したサムネイル画像を、送信元のＰＣ１３のＩＤまたはネットワークアドレス等と対応づけて、通信制御部１０３Ａの機能により通信Ｉ／Ｆ１０１を介して各ＰＣ１３に送信する。ここでサムネイル画像を送信する送信先は、上記の表示装置制御部１３０Ｃの機能によりプロジェクター１１に制御情報を送信しているＰＣ１３のみとしてもよいし、プロジェクター１１に対して画像データを送信している全てのＰＣ１３としてもよい。
【００３７】
画像選択表示部１０３Ｃは、通信制御部１０３Ａが判別した制御情報に従って、投射部３０による表示状態を決定し、表示制御部１０７の画面分割処理部１０７Ｂを制御して指定された表示状態への切り替えを実行する。また、画像選択表示部１０３Ｃは、制御情報により指定されたＰＣ１３からの画像データに基づく画像を表示するため、画面分割処理部１０７Ｂを制御する。具体的には、画像選択表示部１０３Ｃは、制御情報により指定されたＰＣ１３が出力した画像データに基づく画像を表示するよう画面分割処理部１０７Ｂを制御し、全領域表示状態では選択した一つのＰＣ１３が出力した画像データに基づく画像を表示させ、分割表示状態では分割された各領域のうち、制御情報により指定された位置の表示領域に、制御情報により指定されたＰＣ１３が出力した画像データに基づく画像を表示させる。
【００３８】
表示制御部１０７は、制御部１０３の制御に従って、バッファー部１１０の画像バッファー１１０Ａに格納された画像データに基づいて表示信号を生成し、光変調装置駆動部１１９に出力する。表示制御部１０７は、分割表示状態と全領域表示状態との切り替え、分割表示状態における分割数の切り替え、及び、分割表示状態における画像の配置の制御を行う画面分割処理部１０７Ｂを備えている。画面分割処理部１０７Ｂは、分割表示状態では、表示領域の分割数に対応した数の画像バッファー１１０Ａを選択し、選択した画像バッファー１１０Ａに格納された画像を分割された各領域に割り当てて配置する。また、画面分割処理部１０７Ｂは、全領域表示状態では、画面分割処理部１０７Ｂはいずれか一つの画像バッファー１１０Ａを選択し、選択した画像バッファー１１０Ａの画像を表示領域の中央に配置する。
各画像バッファー１１０Ａに格納された画像データを分割された表示領域のどの領域に割り当てるかは、画像選択表示部１０３Ｃの制御により決定される。画面分割処理部１０７Ｂは、画像選択表示部１０３Ｃにより指定されたＰＣ１３が出力した画像データに基づく画像を、指定された表示領域に配置する。
【００３９】
表示制御部１０７は、画面分割処理部１０７Ｂが選択及び配置した通りに、画像バッファー１１０Ａ内の画像を配置して表示用の画像を生成する画像生成部１０７Ｃを備えている。画像生成部１０７Ｃは、バッファー部１１０から読み出したデジタル画像データに対して、明度、コントラスト、色の濃さ、色合い、投射画像の形状等の画像の表示状態を調整してフレーム毎の表示用画像を生成し、生成した表示用画像をフレームメモリー１１５に展開する。表示制御部１０７は、フレームメモリー１１５から表示用画像を読み出し、読み出した画像を表示するための表示信号を光変調装置駆動部１１９に対して出力する。光変調装置駆動部１１９は、表示制御部１０７から入力される表示信号に基づいて、光変調装置３２を駆動する。これにより、ＰＣ１３より入力されたデジタル画像データに基づいて表示制御部１０７で処理された画像が、光変調装置３２に描画され、この画像が投射光学系３３を介して、スクリーンＳＣ上に投射画像として投射される。
【００４０】
図２〜図５は、ＰＣ１３による選択操作の様子を示す説明図であり、一例としてＰＣ１３Ａにより選択操作を行う場合を示す。各図の（Ａ）はモニター１４に表示される選択制御用画面を示し、（Ｂ）はプロジェクター１１の投射画像を示す。
図２（Ａ）には表示処理部１３０Ａが生成する制御用画面２００の一例を示す。制御用画面２００は、モニター１４上に一つのウィンドウとして表示される。制御用画面２００は、入力部１３５に接続されたポインティングデバイス（マウス、デジタイザー等）によって操作できるようＧＵＩ（Graphical User Interface）として構成され、制御用画面２００に表示された画像やアイコンへのクリック操作、ドラッグ操作によって各種設定を行える。
【００４１】
制御用画面２００には、プロジェクター１１の表示（投射）態様を指定するための表示状態指定アイコン２０１が並べて表示されている。表示状態指定アイコン２０１は、それぞれ特定の表示状態を指定する複数のアイコンにより構成され、図２（Ａ）の例では、プロジェクター１１の表示領域に一つのＰＣ１３が出力する画像データを表示する全領域表示状態を指定するアイコン２０１Ａと、２つのＰＣ１３が出力する画像データを表示する分割表示状態を指定するアイコン２０１Ｂと、４つのＰＣ１３が出力する画像データを表示する分割表示状態を指定するアイコン２０１Ｃとが配置されている。これらのアイコン２０１Ａ〜２０１Ｃのいずれかが選択指定されると、表示装置制御部１３０Ｃは、指定されたアイコンに対応する分割表示状態を指定する制御情報を生成してプロジェクター１１に出力する。
【００４２】
制御用画面２００にはＰＣ１３Ａが画像出力部１３０Ｄにより出力中の画像データに対応するサムネイル画像２０２が表示されている。サムネイル画像２０２は、ＰＣ１３Ａの画像出力部１３０Ｄがプロジェクター１１に出力した画像データに基づいてプロジェクター１１が生成し、プロジェクター１１からＰＣ１３Ａに送信されたサムネイル画像である。また、制御用画面２００には、他のＰＣ１３Ｂ〜１３Ｄがプロジェクター１１に出力している画像データに対応する複数のサムネイル画像２０４が表示されている。これらサムネイル画像２０４も、プロジェクター１１によって生成され、プロジェクター１１からＰＣ１３Ａに送信された画像である。サムネイル画像２０２とは区分されたサムネイル画像表示領域２０５には、ＰＣ１３Ｂ〜１３Ｄにそれぞれ対応する複数のサムネイル画像２０４が並べて表示されている。また、サムネイル画像２０２の下方にはＰＣ１３Ａに付与されたＩＤが表示され、サムネイル画像２０４の下方には、各サムネイル画像に対応するＰＣ１３Ｂ〜１３Ｄに付与されたＩＤが表示され、ＰＣ１３Ａ〜１３Ｄがどのような画像を出力しているかを示している。
【００４３】
制御用画面２００の表示中、ＰＣ１３Ａを操作することにより、サムネイル画像２０２、２０４に対して操作を行うことで、ＰＣ１３Ａ〜１３Ｄの中から、プロジェクター１１が表示する候補を選択できる。この候補とは、プロジェクター１１に表示できるように予め選択され、候補となっているＰＣ１３の中からさらに選択されたＰＣ１３が出力している画像データに基づく画像が、プロジェクター１１によって表示される。図２（Ａ）の例では、ＰＣ１３Ａ（図中のＰＣ１に対応）とＰＣ１３Ｃ（図中のＰＣ３）が候補として選択され、制御用画面２００に設けられた候補表示領域２０８にＰＣ１３Ａ（ＰＣ１）とＰＣ１３Ｃ（図中ＰＣ３）の拡大サムネイル画像２０９が表示されている。拡大サムネイル画像２０９は、画面下部に表示されたサムネイル画像２０２、２０４を拡大した画像である。なお、図２（Ａ）の例では、表示状態指定アイコン２０１Ｃが示すように最大分割数が４であるから、候補表示領域２０８には最大で４つの拡大サムネイル画像２０９を表示可能である。図２（Ａ）の例では２つの拡大サムネイル画像２０９が表示されているので、残り２つの拡大サムネイル画像２０９を表示するためのスペースが空いており、この空きスペースには空き領域表示画像２１１が表示されている。また、画面下部に表示されたサムネイル画像２０２、２０４のうち、候補として選択されたＰＣ１３Ａ、１３Ｃが出力中の画像データに対応するサムネイル画像には、選択枠２０６が表示され、候補となっていることを示している。
【００４４】
候補表示領域２０８に表示された拡大サムネイル画像２０９のうち、入力部１３５が検出した操作によって、プロジェクター１１が表示する表示対象の画像が選択された場合、選択された拡大サムネイル画像２０９は、選択枠２１０によって囲まれるように表示される。図２（Ａ）の例では分割数が２であるため２つの画像が選択枠２１０で囲まれている。なお、拡大サムネイル画像２０９が表示されていない場合、表示対象として空き領域表示画像２１１を選択することが可能であり、このとき空き領域表示画像２１１に対応する位置は空白として表示される。
すなわち、図２（Ｂ）に示すように、スクリーンＳＣに投射される投射画像３００は、ＰＣ１３Ａが出力中の画像データに基づく出力画像３０１と、空白画像３０５とが表示された２画面分割表示状態となっている。空白画像３０５は、分割表示状態においてどの画像も割り当てられていない表示領域であり、図２（Ａ）に示す空き領域表示画像２１１に対応している。
図２（Ａ）の制御用画面２００においては、選択枠２１０に囲まれた拡大サムネイル画像２０９に対応するサムネイル画像２０２に選択枠２１２が表示され、このサムネイル画像２０２と同じ内容の画像がプロジェクター１１により投射されていることを示している。
【００４５】
さらに、制御用画面２００には、この制御用画面２００を表示中のＰＣ１３Ａによる画像の出力状態を制御するための出力制御アイコン群２１４が配置されている。ＰＣ１３Ａは、画像出力部１３０Ｄの機能により、モニター１４に表示中の画面と同じ画面を表示するための画像データをプロジェクター１１に出力するが、この出力の停止や開始などを出力制御アイコン群２１４の各アイコンにより操作できる。図２（Ａ）の例では、出力制御アイコン群２１４に、プロジェクター１１への画像データの出力について、出力の一時停止（フリーズ）を指示する停止アイコン２１５、出力再開を指示する出力実行アイコン２１６、及び、画像データの出力を一時的に止めるミュートアイコン２１７が配置されている。
【００４６】
停止アイコン２１５が操作されると、画像出力部１３０Ｄはプロジェクター１１へ出力する画像データの更新を停止する。これにより、このＰＣ１３Ａからプロジェクター１１に対しては、停止アイコン２１５の操作時点でモニター１４に表示されていた画像に対応する画像データが継続して出力される。このため、ＰＣ１３Ａの機能により他のアプリケーションプログラムが起動する等して、モニター１４に表示される画面が変化しても、変化後の内容はプロジェクター１１により投射されない。
また、ＰＣ１３Ａが出力する画像の投射そのものを停止する場合には、ＰＣ１３Ａが表示する制御用画面２００上の候補表示領域２０８において、ＰＣ１３Ａに対応する拡大サムネイル画像２０９を候補表示領域２０８の外にドラッグする操作を行えば良い。この場合、ＰＣ１３Ａの画像出力部１３０Ｄは、プロジェクター１１への画像データの出力を停止し、表示装置制御部１３０Ｃは、ＰＣ１３Ａからの画像データに対応する画像の投射終了を指示する制御情報をプロジェクター１１に出力する。この制御情報を受信したプロジェクター１１は、画像選択表示部１０３Ｃの制御により、送信元のＰＣ１３Ａに対応する画像を画像バッファー１１０Ａから削除して、表示不可とするとともに、この画像を含まない画像の表示信号を画像生成部１０７Ｃにより生成させる。
【００４７】
停止アイコン２１５の操作後、出力実行アイコン２１６が操作されると、画像出力部１３０Ｄはプロジェクター１１へ出力する画像の更新を再開する。画像出力部１３０Ｄは、出力実行アイコン２１６の操作時点または操作直後から、モニター１４に表示中の画像と同じ画像を表示するための画像データを生成してプロジェクター１１に出力し、その後は所定時間毎に画像データを更新して出力する。
また、ミュートアイコン２１７が操作されると、画像出力部１３０Ｄは、プロジェクター１１へ出力する画像データを、ミュート用の画像データに置き換えて出力する。ミュート用の画像データは、例えば全面が黒一色となった画像のデータである。これにより、ミュートアイコン２１７の操作中はプロジェクター１１が投射する画像が黒一色に切り替わる。ミュートアイコン２１７は、停止アイコン２１５とほぼ同様に、モニター１４における画面をスクリーンＳＣに投射されないようにすることができるが、停止アイコン２１５とは異なり、スクリーンＳＣ上の画像そのものをブラックアウトさせることができる。このため、例えば、一時的に、一つのＰＣ１３が出力した画像データに対応する画像のみがスクリーンＳＣに投射される状態に切り替えることができる。
【００４８】
ここで、選択されていないＰＣ１３（ここではＰＣ１３Ｂ（図中ＰＣ２）、ＰＣ１３Ｄ（図中ＰＣ４））が出力する画像データに基づく画像をプロジェクター１１により投射させる場合には、図３（Ａ）に示すように、サムネイル画像表示領域２０５に表示されたサムネイル画像２０４を、候補表示領域２０８にドラッグする操作を行えばよい。図３（Ａ）の例ではＰＣ１３Ｄ（図中ＰＣ４）に対応するサムネイル画像２０４がドラッグ操作される。この操作に対応して、制御用画面２００では、例えば図３（Ａ）に示すように、ポインター２１８とともにサムネイル画像２０４が移動するように表示される。ドラッグ操作が行われている間は、図３（Ｂ）に示すように、プロジェクター１１がスクリーンＳＣに投射する投射画像３００に変化はない。
【００４９】
図４（Ａ）に示すように、ドラッグされたサムネイル画像２０４が候補表示領域２０８の選択枠２１０内に移動された場合、このサムネイル画像２０４に対応するＰＣ１３Ｄが出力する画像データに基づく画像が、表示対象として選択される。ＰＣ１３Ａの選択部１３０Ｂは、ドラッグ操作により選択されたＰＣ１３Ｄを特定し、表示装置制御部１３０Ｃは、ＰＣ１３Ｄが出力する画像データに基づく画像を投射するよう指示する制御情報を生成して、プロジェクター１１に出力する。これにより、図４（Ｂ）に示すように、プロジェクター１１は、新たに選択されたＰＣ１３Ｄが出力する画像データに基づく出力画像３１１を含む投射画像３１０を、スクリーンＳＣに投射する。この操作後は、図４（Ａ）に示すように、ＰＣ１３Ｄに対応するサムネイル画像２０４に、選択枠２１３が表示される。
【００５０】
なお、図３（Ａ）に示すようなドラッグ操作によって、すでに拡大サムネイル画像２０９が配置された位置に別のＰＣ１３に対応するサムネイル画像２０４が移動された場合には、先に配置されていた拡大サムネイル画像２０９に対応するＰＣ１３の画像の出力は停止され、このＰＣ１３は非選択状態となる。この操作を検出したＰＣ１３Ａの選択部１３０Ｂは各ＰＣ１３の選択状態を変更し、表示装置制御部１３０Ｃは、変更後の各ＰＣ１３の選択状態に対応する制御情報を生成してプロジェクター１１に出力する。また、制御用画面２００においては、非選択状態となったＰＣ１３に対応するサムネイル画像２０２、２０４から、選択枠２１２または選択枠２１３が消去される。ここで、ＰＣ１３のＩＤに付された選択枠２０６も消去してもよい。
【００５１】
このように、プロジェクター１１に接続されたＰＣ１３のうち少なくとも一部が、制御用画面２００を表示し、制御用画面２００の表示中における操作に応じて、プロジェクター１１が投射する画像を選択することが可能であり、制御用画面２００においては各ＰＣ１３が出力する画像データに対応するサムネイル画像が表示される。このため、各ＰＣ１３が実際に出力している画像データの内容を確認しながら、選択操作を行えるという利点がある。
【００５２】
ところで、図２〜図４を参照して説明した操作は、いずれか一つのＰＣ１３（上記の例ではＰＣ１３Ａ）で実行されるほか、複数のＰＣ１３において同時に実行されてもよい。すなわち、通信ネットワーク１７に接続された複数のＰＣ１３のうち、複数のＰＣ１３が制御プログラム１３４Ａを実行して、制御用画面２００を表示し、各ＰＣ１３において個別に操作が行われてもよい。この場合、各ＰＣ１３は独立して、ユーザーによる操作に応じて制御情報を生成し、プロジェクター１１に出力する。プロジェクター１１は、いずれのＰＣ１３から送信された制御情報であっても受信し、受信した制御情報に従って制御部１０３が動作する。ここで、制御部１０３は、制御情報の受信順に動作し、プロジェクター１１の投射状態は、最新の制御情報に従った表示状態となる。これにより、ＰＣ１３相互間でプロジェクター１１の制御に関する調整を行う必要がないので、通信ネットワーク１７及び各ＰＣ１３の負荷の増大を抑え、ＰＣ１３を操作するユーザーは自由に投射状態を制御できる。
【００５３】
また、本実施形態では、各ＰＣ１３が出力している画像データに対応するサムネイル画像をプロジェクター１１が生成し、プロジェクター１１から各ＰＣ１３に送信する構成となっている。ここで、ＰＣ１３が画像データを出力し、プロジェクター１１がサムネイル画像を送信する一連の動作について、フローチャートを参照して説明する。
【００５４】
図５は、表示システム１０の動作を示すフローチャートであり、（Ａ）はＰＣ１３の動作を示し、（Ｂ）は新たに画像データの出力を開始するＰＣ１３の動作を示し、（Ｃ）はプロジェクター１１の動作を示す。
新たに画像データを出力するＰＣ１３は、ユーザーの操作に応じて画像出力部１３０Ｄの機能を実行し（図５（Ｂ）ステップＳ１１）、ユーザーの操作によってプロジェクター１１の画像投射に参加するよう指示されると（ステップＳ１２）、参加を指示するコマンドと、当該ＰＣ１３を識別するＩＤやネットワークアドレス等を含む制御情報をプロジェクター１１に出力する（ステップＳ１３）。さらに、ＰＣ１３は、モニター１４に表示中の画像と同じ画像を表示するための画像データを生成してプロジェクター１１に出力する（ステップＳ１４）。
【００５５】
プロジェクター１１は、ＰＣ１３から参加を指示するコマンドを含む制御情報を受信すると（図５（Ｃ）ステップＳ２１）、このＰＣ１３からの画像データを受信するまで待機する（ステップＳ２２）。そして、新たに参加するＰＣ１３からの画像データを受信すると（ステップＳ２２；Ｙｅｓ）、受信した画像データを画像バッファー１１０Ａに格納するとともに、この画像データに基づくサムネイル画像を生成する（ステップＳ２３）。また、プロジェクター１１は、以前から画像データを出力している各ＰＣ１３から受信した画像データに基づいてサムネイル画像を生成し、更新する（ステップＳ２４）。その後、プロジェクター１１は、新たに参加したＰＣ１３に対応するサムネイル画像と、既存の各ＰＣ１３の更新後のサムネイル画像とを、通信ネットワーク１７を介して接続された全てのＰＣ１３に送信する（ステップＳ２５）。
【００５６】
新たに参加したＰＣ１３は、プロジェクター１１から送信されたサムネイル画像を受信して（ステップＳ１５）、受信したサムネイル画像を、制御用画面２００に表示する（ステップＳ１６）。ここで、新たに参加したＰＣ１３が制御用画面２００を表示しない場合は、ステップＳ１６を行わず処理を終了する。
一方、既存のＰＣ１３においても、プロジェクター１１から送信されたサムネイル画像を受信して（図５（Ａ）ステップＳ３１）、受信したサムネイル画像を、制御用画面２００に表示する（ステップＳ３２）。
【００５７】
以上のように、本発明を適用した実施形態に係る表示システム１０によれば、それぞれ画像供給装置として画像を出力する複数のＰＣ１３と、プロジェクター１１とを備え、少なくとも一部のＰＣ１３は、画像供給装置としての各ＰＣ１３が出力する画像データに基づく画像をモニター１４に表示する表示処理部１３０Ａと、制御用画面２００の表示中に入力部１３５が検出した操作に応じて一部のＰＣ１３を選択する選択部１３０Ｂと、選択部１３０Ｂにより選択されたＰＣ１３が出力する画像データに基づく画像をプロジェクター１１により表示させる表示装置制御部１３０Ｃとを備え、表示処理部１３０Ａは、各ＰＣ１３が出力中の画像に対応するサムネイル画像をモニター１４に表示し、選択部１３０Ｂは、モニター１４に表示されたサムネイル画像のうち一部を選択する操作に対応して、選択されたサムネイル画像に対応するＰＣ１３を選択し、表示装置制御部１３０Ｃは、選択されたＰＣ１３が出力する画像データに基づく画像をスクリーンＳＣに投射するよう指示する制御情報を生成して、プロジェクター１１に出力する。これにより、制御用画面２００に並べて表示されたサムネイル画像の中から所望のサムネイル画像を選択する操作によって、複数のＰＣ１３から所望のＰＣ１３を容易に選択し、選択したＰＣ１３が出力する画像データに基づく画像をプロジェクター１１により表示させることができる。
【００５８】
また、プロジェクター１１は、画像を出力する複数のＰＣ１３に接続され、スクリーンＳＣに画像を表示する投射部３０と、ＰＣ１３から送信される画像を通信Ｉ／Ｆ１０１を介して受信する通信制御部１０３Ａと、通信制御部１０３Ａにより受信した画像に基づいてサムネイル画像を生成するサムネイル画像処理部１０３Ｂとを備え、生成されたサムネイル画像を、通信制御部１０３Ａにより、複数のＰＣ１３のうち少なくとも一部に送信し、サムネイル画像を送信したＰＣ１３から、いずれか一または複数のＰＣ１３を指定する制御情報が送信された場合に、画像選択表示部１０３Ｃによって、この制御情報により指定されたＰＣ１３が出力する画像データに基づく画像をスクリーンＳＣに投射する。
また、ＰＣ１３の表示処理部１３０Ａは、各々のＰＣ１３が出力中の画像データに基づくサムネイル画像がプロジェクター１１から送信された場合に、このサムネイル画像を受信してモニター１４に並べて表示する。
これにより、ＰＣ１３は、プロジェクター１１が送信したサムネイル画像を受信して表示することで、サムネイル画像を生成するための処理負荷及び通信データ量を抑えることができる。そして、並べて表示されたサムネイル画像２０４に基づいて各ＰＣ１３が出力する画像データの内容を容易に把握することができる。
【００５９】
また、ＰＣ１３は、表示処理部１３０Ａによって、選択部１３０Ｂにより選択されたＰＣ１３に対応するサムネイル画像を、他のＰＣ１３に対応するサムネイル画像とは異なる表示態様で表示する。例えば、図２（Ａ）に示す制御用画面２００において、選択されたＰＣ１３に対応する拡大サムネイル画像２０９を、選択枠２１０により強調表示する。これにより、プロジェクター１１により表示されている画像を容易に確認できる。
【００６０】
また、制御プログラム１３４Ａを実行してプロジェクター１１を制御するＰＣ１３は、他のＰＣ１３と同様にプロジェクター１１に画像データを出力する画像出力部１３０Ｄを備え、表示処理部１３０Ａは、他の各ＰＣ１３が出力する画像データに基づいて生成されたサムネイル画像とともに、画像出力部１３０Ｄが出力する画像に基づいて生成されたサムネイル画像をモニター１４に並べて表示する。
例えば、図２（Ａ）に示す制御用画面２００において、ＰＣ１３Ａが出力する画像データに対応するサムネイル画像２０２とともに、他のＰＣ１３Ｂ〜１３Ｄが出力する画像データに対応するサムネイル画像２０４を表示する。これにより、プロジェクター１１を制御してＰＣ１３Ａ〜１３Ｄを選択するＰＣ１３Ａそれ自体が、他のＰＣ１３Ｂ〜１３Ｄと同様に画像を出力できる。また、ＰＣ１３Ａを含む複数のＰＣ１３Ａ〜１３Ｄが出力する画像データの中から、簡単な操作によって所望の画像データを選択できる。
【００６１】
また、表示処理部１３０Ａは、各ＰＣ１３が出力中の画像の変化に対応して、モニター１４に表示するサムネイル画像の表示を所定時間毎に更新するので、各ＰＣ１３が出力する画像の状態がサムネイル画像に良好に反映される。
【００６２】
上記構成においては、各ＰＣ１３が出力している画像データに対応するサムネイル画像をプロジェクター１１が生成し、プロジェクター１１から各ＰＣ１３に送信する構成となっているが、通信ネットワーク１７に接続された少なくとも一つのＰＣ１３がサムネイル画像配信サーバーとして機能し、サムネイル画像を生成して各ＰＣ１３に送信することも可能である。当該ＰＣ１３は、他の各ＰＣ１３が出力する画像データを、通信ネットワーク１７を介して取得し、各ＰＣ１３に対応するサムネイル画像を、他のＰＣ１３に送信する。この場合のサムネイル画像の送信先は、制御用画面２００による制御を行うＰＣ１３に限定してもよい。また、各ＰＣ１３が、プロジェクター１１とともに、サムネイル画像配信サーバーとして機能するＰＣ１３に対しても画像データを出力する構成としてもよく、この場合には、サムネイル画像配信サーバーとなるＰＣ１３は、他のＰＣ１３から送信される画像データを順次取得してサムネイル画像を生成及び配信すれば良い。
【００６３】
なお、上述した実施形態は本発明を限定するものではなく、上記実施形態とは異なる態様として本発明を適用することも可能である。例えば、上記実施形態において、通信ネットワーク１７に接続されるＰＣ１３の数には制限はなく、通信ネットワーク１７を介してプロジェクター１１に接続するＰＣ１３の数も制限されない。また、プロジェクター１１が分割表示状態で表示を行う場合の表示数についても任意である。
また、例えば、上記実施形態ではスクリーンＳＣの正面に設置されたプロジェクター１１が、前方に画像を投射する構成を例に挙げて説明したが、本発明はこれに限定されるものではなく、スクリーンＳＣが透過型のスクリーンとして構成され、プロジェクター１１がスクリーンＳＣの背面側から画像を投射する構成に本発明を適用することも勿論可能である。さらに、本発明の表示装置は、スクリーンＳＣに画像を投射するプロジェクターに限定されず、液晶表示パネルに画像を表示する液晶モニターまたは液晶テレビ、或いは、ＰＤＰ（プラズマディスプレイパネル）に画像を表示するモニター装置またはテレビ受像機、ＯＬＥＤ（Organic Light-emitting-diode）、ＯＥＬ（Organic Electro-Luminescence）等と呼ばれる有機ＥＬ表示パネルに画像を表示するモニター装置またはテレビ受像機等の自発光型の表示装置など、各種の表示装置も本発明の表示装置に含まれ、入力された画像信号に基づく画像をカラー表示することができる携帯型の表示装置も含まれる。この場合、液晶表示パネル、プラズマディスプレイパネル、有機ＥＬ表示パネルが変調手段に相当する。
【００６４】
また、例えば、上記実施形態では、プロジェクター１１に画像データを供給する画像供給装置としてＰＣ１３を用いた場合について説明したが、本発明はこれに限定されるものではなく、プロジェクター１１と通信可能に接続され、画像データをプロジェクター１１に出力する機能を有する装置であれば特に制限はなく、例えば、携帯型電話としての通話機能及び無線電話回線を介した通信機能を有する装置や、携帯型ビデオゲーム機、電子書籍閲覧端末等の各種の携帯機器に本発明を適用することも可能である。
【００６５】
さらに、上記実施形態において、記憶部１３４が記憶していた制御プログラム１３４Ａや記憶部１０５が記憶していた制御プログラム１０５Ａ等を、可搬型の記録媒体に記憶した構成とすることも可能であるし、ＰＣ１３及びプロジェクター１１が、通信ネットワーク１７を介して接続された他の装置からダウンロード可能な構成としてもよい。
また、図２に示した表示システム１０の各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、表示システム１０の具体的な細部構成について、本発明の趣旨を逸脱しない範囲で任意に変更可能である。
【符号の説明】
【００６６】
１０…表示システム、１１…プロジェクター（画像表示装置）、１３、１３Ａ〜１３Ｄ…ＰＣ、１４…モニター（表示画面）、１７…通信ネットワーク、３０…投射部（画像表示手段）、１０３…制御部、１０３Ａ…通信制御部（受信手段、送信手段）、１０３Ｂ…サムネイル画像処理部（画像処理手段）、１０３Ｃ…画像選択表示部（画像選択表示手段）、１０５…記憶部、１０５Ａ…制御プログラム、１０７…表示制御部、１０７Ｂ…画面分割処理部、１０７Ｃ…画像生成部、１１０…バッファー部、１１０Ａ…画像バッファー、１３０…制御部、１３０Ａ…表示処理部（表示手段）、１３０Ｂ…選択部（選択手段）、１３０Ｃ…表示装置制御部（表示装置制御手段）、１３０Ｄ…画像出力部（画像出力手段）、１３４…記憶部、１３４Ａ…制御プログラム、２００…制御用画面、２０２…サムネイル画像、２０４…サムネイル画像、２０９…拡大サムネイル画像、２０６、２１０、２１２、２１３…選択枠、ＳＣ…スクリーン（表示面）。
【図１】
0005895408.tif 000002
【図２】
0005895408.tif 000003
【図３】
0005895408.tif 000004
【図４】
0005895408.tif 000005
【図５】
0005895408.tif 000006